【手続補正書】
【提出日】平成20年7月2日(2008.7.2)
【手続補正１】
【補正対象書類名】明細書
【補正対象項目名】発明の名称
【補正方法】変更
【補正の内容】
【発明の名称】再生装置、および再生方法
【手続補正２】
【補正対象書類名】明細書
【補正対象項目名】特許請求の範囲
【補正方法】変更
【補正の内容】
【特許請求の範囲】
【請求項１】
記録媒体に記録されたプログラムと上記プログラムが登録されたプレイリストファイルとを記憶媒体に記憶する記憶手段と、
上記プレイリストファイルに基づいて上記記憶媒体に記憶されたプログラムを再生する再生手段と、
プログラムを再生しているときに、上記再生しているプログラムを上記プレイリストファイルに登録する要求がなされた場合に、上記プログラムを上記プレイリストファイルに登録する制御手段と
を備える再生装置。
【請求項２】
上記記憶手段は、上記プログラム毎の再生履歴を表す再生履歴データを、上記記憶媒体に更に記憶させ、
上記制御手段は、上記再生手段がプログラムを再生したときには、対応する上記再生履歴データを更新するとともに、更新された再生履歴データに基づいて、所定数のプログラムをプレイリストファイルに登録する請求項１に記載の再生装置。
【請求項３】
上記再生履歴データは、プログラムの再生頻度を表す再生頻度データであり、
上記制御手段は、上記再生手段がプログラムを再生したときには、対応する上記再生頻度データを更新するとともに、更新された再生頻度データに基づいて、再生頻度が高い所定数のプログラムをプレイリストファイルに登録する請求項２に記載の再生装置。
【請求項４】
上記再生履歴データは、プログラムを再生した再生日時データであり、
上記制御手段は、上記再生手段がプログラムを再生したときには、対応する上記再生日時データを更新するとともに、更新された再生日時データに基づいて、最近再生したプログラムから所定数のプログラムを上記プレイリストファイルに登録する請求項２に記載の再生装置。
【請求項５】
上記所定数は、操作入力に基づいて設定可能である請求項２に記載の再生装置。
【請求項６】
上記再生手段は、上記プレイリストファイルに登録されているプログラムを、シャッフル再生する請求項１に記載の再生装置。
【請求項７】
上記再生履歴データは再生頻度データと再生日時データとを含み、
上記制御手段は、上記所定数のプログラムを上記プレイリストファイルに登録するときに参照する上記再生履歴データを、上記再生頻度データとするか上記再生日時データとするかを、操作入力に基づいて決定する請求項２に記載の再生装置。
【請求項８】
上記記憶媒体は、プログラムのハイライト部分を示すハイライトデータを記憶し、
上記再生手段は、上記ハイライトデータに基づいて、上記プログラムのハイライト部分を再生する請求項１に記載の再生装置。
【請求項９】
記録媒体に記録されたプログラムと、上記プログラムが登録されたプレイリストファイルとを記憶媒体に記憶するステップと、
プログラムを再生しているときに、上記再生しているプログラムを上記プレイリストファイルに登録する要求がなされた場合に、上記プログラムを上記プレイリストファイルに登録するステップと、
上記プレイリストファイルに基づいて上記記憶媒体に記憶されたプログラムを再生するステップと
を備える再生方法。
【手続補正３】
【補正対象書類名】明細書
【補正対象項目名】０００１
【補正方法】変更
【補正の内容】
【０００１】
【発明の属する技術分野】
この発明は、再生装置、および再生方法に関し、特に、プレイリストを作成可能な再生装置、および再生方法に関する。
【手続補正４】
【補正対象書類名】明細書
【補正対象項目名】０００７
【補正方法】変更
【補正の内容】
【０００７】
したがって、この発明の目的は、ユーザが所望する曲をプレイリストに容易に登録できる再生装置、および再生方法を提供することにある。
【手続補正５】
【補正対象書類名】明細書
【補正対象項目名】０００８
【補正方法】変更
【補正の内容】
【０００８】
また、この発明の目的は、再生頻度が高い曲を登録したプレイリストを容易に作成することができる再生装置、および再生方法を提供することにある。
【手続補正６】
【補正対象書類名】明細書
【補正対象項目名】０００９
【補正方法】変更
【補正の内容】
【０００９】
また、この発明の他の目的は、最近聴いた曲を登録したプレイリストを容易に作成することができる再生装置、および再生方法を提供することにある。
【手続補正７】
【補正対象書類名】明細書
【補正対象項目名】００１０
【補正方法】変更
【補正の内容】
【００１０】
【課題を解決するための手段】
上述した課題を解決するために、請求項１の発明は、
記録媒体に記録されたプログラムとプログラムが登録されたプレイリストファイルとを記憶媒体に記憶する記憶手段と、
プレイリストファイルに基づいて記憶媒体に記憶されたプログラムを再生する再生手段と、
プログラムを再生しているときに、再生しているプログラムをプレイリストファイルに登録する要求がなされた場合に、プログラムをプレイリストファイルに登録する制御手段と
を備える再生装置である。
【手続補正８】
【補正対象書類名】明細書
【補正対象項目名】００１１
【補正方法】変更
【補正の内容】
【００１１】
請求項９の発明は、
記録媒体に記録されたプログラムと、プログラムが登録されたプレイリストファイルとを記憶媒体に記憶するステップと、
プログラムを再生しているときに、再生しているプログラムをプレイリストファイルに登録する要求がなされた場合に、プログラムをプレイリストファイルに登録するステップと、
プレイリストファイルに基づいて記憶媒体に記憶されたプログラムを再生するステップと
を備える再生方法である。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】変更
【補正の内容】
【００１７】
請求項１および請求項９に係る発明は、記録媒体に記録されたプログラムと、プログラムが登録されたプレイリストファイルとを記憶媒体に記憶し、プログラムを再生しているときに、再生しているプログラムをプレイリストファイルに登録する要求がなされた場合に、プログラムをプレイリストファイルに登録し、プレイリストファイルに基づいて記憶媒体に記憶されたプログラムを再生するので、再生しているプログラムを容易にプレイリストに登録することができる。
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】